(57)【要約】【課題】  ＤＶＤ-ＨＤＤコンボカメラにおいて、ＤＶＤの残量がなくなっても引き続き撮影したい場合どうしてもディスクの入れ替えが必要である。その為、どうしても入れ替え中のシャッターチャンスを逃すことがあった。【解決手段】  前記課題を解決するため、ＤＶＤを取り出す場合に、ＤＶＤにアクセスしていない期間に記録媒体をＨＤＤに切り替え、ＤＶＤの入れ替え中にはＨＤＤに記録を行なっていくようにする。こうすることで、ＤＶＤの入れ替え期間の映像をもらさず記録することができる。これにより、ＤＶＤの入れ替え中にも撮影のシャッターチャンスを逃さない、使い勝手の良い情報記録再生装置が実現できる。【選択図】  図１
2006323953.tif 000002
【特許請求の範囲】
【請求項１】
２つ以上の記録媒体を用いた情報記録装置であって、
映像を撮像する撮像手段と、撮像手段から出力された映像データの第１の記録媒体と第２の記録媒体への書き込みを制御するドライブ制御部と、を備え、
前記ドライブ制御部は、前記第１の記録媒体に前記映像データを記録し始めた場合であって、前記第１の記録媒体を取り出したときは、前記第２の記録媒体に前記映像データを記録し、前記第１の記録媒体を交換した後は、交換後の第１の記録媒体に前記映像データを記録し、前記第２の記録媒体に記録された前記映像データを交換後の第１の記録媒体に自動的に移すことを特徴とした情報記録装置。
【請求項２】
２つ以上の記録媒体を用いた情報記録再生装置であって、
映像と音声を入力する映像音声入力回路と、前記映像と音声信号を多重化するAVストリーム生成部と、前記多重化されたデータを蓄積する緩衝用メモリと、前記緩衝用メモリに蓄積されたデータを第１の記録媒体と第２の記録媒体への書き込みを制御するドライブ制御部とを備え、
前記ドライブ制御部は、ユーザからの要求に応じて、前記第１の記録媒体から前記第２の記録媒体への書き込みを行う場合、間欠駆動処理を行うことを特徴とした情報記録再生装置。
【請求項３】
請求項２記載の情報記録再生装置であって、前記第１の記録媒体は、光ディスクであり、前記第２の記録媒体は磁気ディスク、或いは半導体メモリであることを特徴とした情報記録再生装置。
【請求項４】
請求項２記載の情報記録再生装置であって、
前記ドライブ制御部が前記第２の記録媒体に記録されたデータを第１の記録媒体にコピーする場合、前記第１の記録媒体にコピーされたデータと前記第１の記録媒体に記録されていたデータとを時系列的に表示可能な表示部を備えたことを特徴とした情報記録再生装置。
【請求項５】
請求項２記載の情報記録再生装置であって、
前記ドライブ制御部は、前記第１の記録媒体の容量に応じて、前記第２の記録媒体に記録されたデータを前記第１の記録媒体にコピーすることを特徴とした情報記録再生装置。
【請求項６】
請求項２記載の情報記録再生装置であって
前記第２の記録媒体は、取り出し可能な磁気ディスク、もしくは半導体メモリであることを特徴とした情報記録再生装置。
【請求項７】
請求項２記載の情報記録再生装置であって、
前記ドライブ制御部は、ユーザからの要求に応じて、第１の記録媒体から第２の記録媒体への書き込みを行う場合、前記第１の記録媒体への書き込みを終了させた後に、前記第２の記録媒体への書き込みを開始することを特徴とした情報記録再生装置。
【請求項８】
請求項２記載の情報記録再生装置であって、
前記第１の記録媒体は、前記第２の記録媒体よりも容量が少ないことを特徴とした情報記録生成装置。
【発明の詳細な説明】
【技術分野】
【０００１】
本発明は、２つの記録媒体を用いた情報記録装置及び記録再生装置に関し、例えばＤＶＤとＨＤＤを搭載した情報記録装置及び記録再生装置に関するものである。
【背景技術】
【０００２】
従来、「ＤＶＤに録画中、ＤＶＤの残容量が少なくなったとき、ハードディスクに退避録画した後の作業を簡単にする」（特許文献１の要約の課題）ため、「番組を録画中、ＤＶＤの残容量が少なくなったことが検知されると、ハードディスクへの待機録画を開始して、ＤＶＤの録画を停止する。ＤＶＤを取り出し、新しいＤＶＤに交換されたことが検知されると、このＤＶＤへの録画を自動的に開始する。ハードディスクへの待機録画を続けながら、待機録画された番組の最初からタイムシフト再生を行う。ＤＶＤには、ハードディスクから再生された番組がつなぎ録画される」（特許文献１の要約の解決手段）ことの開示がある。
【０００３】
【特許文献１】特開２００４−３３４９６７号公報
【発明の開示】
【発明が解決しようとする課題】
【０００４】
ところで、ビデオカメラの記録媒体としてＤＶＤなどのディスクメディアが登場してきており上書きの心配がないことや記録映像音声の再生、検索の容易さから、記録媒体はテープからディスクへと移行してきている。ＤＶＤの場合、規格で決まった容量しか入らないという問題がある。例えば、８ｃｍＤＶＤの場合、片面１．４Ｇｂｙｔｅである。映像音声のビットレートを３Ｍ程度にしても１時間程度しか撮影できない。実際には画質の面から６Ｍ程度で記録することが多いので、この場合だと３０分程度となってしまう。さらに高画質で記録する場合には記録時間が少なくなることは言うまでもない。
【０００５】
そこで、モバイル用のハードディスク（以降、ＨＤＤと表記）をＤＶＤカメラに搭載して、通常時はＨＤＤで記録を行い、必要な分をＤＶＤへ記録するという方法も考えられる。こうすることで長時間撮影する場合には、ＨＤＤをメインで使用し、必要な分をＤＶＤへコピーするという使用方法を提供することができる。しかし、カメラで撮影した場合、その画像をライブラリとして残す場合が多いのでＨＤＤで撮影してしまうと、どうしてもＤＶＤにコピーする必要がでてくる。その為、できれば最初からＤＶＤに記録する方が使い勝手が良い。ところが先に述べたように、撮影時間によってはＤＶＤに記録する場合どうしてもディスクの入れ替えが必要となってくる。例えば、ディスク残量がわずかしか残っていない場合に引き続き撮影を行ないたい場合などである。ユーザからのディスクの入れ替え要求があると、ディスク取り出しと再認識などを行なっている間の記録禁止期間が発生してしまう。結果、ディスクの入れ替え中の撮影チャンスを逃してしまうことがある。
【０００６】
そこで、ＤＶＤの表裏を交換している時に、他の記録媒体であるＨＤＤに記録を行なうことで撮影チャンスを逃さないようにする。但し、その場合、ＤＶＤへの記録を行いながらＨＤＤに記録しなければならない為、一旦ＤＶＤへのアクセスを止めなければならない。
【０００７】
ここでＤＶＤとＨＤＤを搭載したカメラの記録方法について述べる。カメラのようなモバイル製品の場合、消費電力を抑える為の工夫が必要である。その一つに、ドライブの間欠駆動処理があげられる。これは、ディスクへのアクセスを集中的に行なうことで消費電力を下げるという方法である。図２(a)と図３(a)とを用いて説明する。図２(a)は、間欠駆動の処理におけるバッファ蓄積量と時間の関係を示した図である。縦軸は、緩衝バッファの蓄積量を表す。また、横軸は時間軸である。２０１から２０４は、緩衝用バッファにデータが溜まっていく期間を示す。２０５から２０８は、バッファに溜まったデータをディスクに書き込んでいる期間を示す。
【０００８】
図３(a)は、生成されたストリームのデータの流れを示した図である。３０１は、ＡＶストリーム生成部を示し、プログラムストリームを生成する。３０２は、ＡＶストリーム生成部３０１で生成されたストリームを蓄える緩衝用バッファである。３２０は、ＤＶＤなどの記録媒体を示す。ＡＶストリーム生成部３０１で生成されたＡＶデータは、一旦、緩衝用のバッファ３０２に蓄えられ、ある程度溜まった時点でディスク３２０に書き込まれる。この間隔が実時間で数十秒程度である。つまり、数十秒間のアクセスと非アクセスを繰り返すことになる。図２(a)の２０１から２０４が非アクセス期間となり、２０５から２０８までがディスクにデータを書いているアクセス期間となる。また、非アクセス期間は、バッファ３０２にデータが蓄積されている期間である。通常、ストリームの実時間が２０秒から３０秒程度となるようにバッファ３０２の大きさは決定されている場合が多い。
【０００９】
上記説明した非アクセス時間を利用することでＤＶＤからＨＤＤへの切り替えを行なうことにする。つまり、ＤＶＤにアクセスしていない数十秒間の間にＤＶＤの終了処理とＨＤＤの記録の準備を行うことで、スムーズに、かつ映像を途切れさせることなく、ＨＤＤに記録することができる。また、ディスクを入れた後には、次の非アクセス期間にＨＤＤの終了処理とＤＶＤへのアクセス準備を行い、記録を再開することができる。また、その後、ＨＤＤ上のデータをＤＶＤへコピーすれば、連続した映像をＤＶＤに残すことが可能となる。
【００１０】
本発明は、ＤＶＤを交換している間の映像をＨＤＤに記録することでシャッターチャンスを逃さない装置を提供する。
【課題を解決するための手段】
【００１１】
上記装置を実現する為に、２つ以上の記録媒体を搭載した情報記録装置であって、映像を撮像する撮像手段と、撮像手段から出力された映像データを第１の記録媒体と第２の記録媒体への書き込みを制御するドライブ制御部と、を備え、前記ドライブ制御部は、前記第１の記録媒体に前記映像データを記録し始めた場合であって、前記第１の記録媒体を取り出したときは、前記第２の記録媒体に前記映像データを記録し、前記第１の記録媒体を交換した後は、交換後の第１の記録媒体に前記映像データを記録し、前記第２の記録媒体に記録された前記映像データを交換後の第１の記録媒体に自動的に移すことを特徴とした情報記録装置を提供する。
【００１２】
また、上記装置を実現する為に、２つ以上の記録媒体を搭載した情報記録再生装置であって、映像と音声を入力する映像音声入力回路と、前記映像と音声信号を多重化するAVストリーム生成部と、前記多重化されたデータを蓄積する緩衝用メモリと、前記緩衝用メモリに蓄積されたデータを第１の記録媒体と第２の記録媒体への書き込みを制御するドライブ制御部とを備え、前記ドライブ制御部は、ユーザからの要求に応じて、前記第１の記録媒体から前記第２の記録媒体への書き込みを行う場合、間欠駆動処理を行うことを特徴とした情報記録再生装置を提供する。
【００１３】
ＤＶＤとＨＤＤを搭載したカメラにおいて、ＤＶＤ記録中の容量不足によるディスク交換の際にも映像を途切れさせることなく撮影することが可能である。
【発明の効果】
【００１４】
本発明により、使い勝手を向上した情報記録装置及び情報記録再生装置を提供することができる。
【発明を実施するための最良の形態】
【００１５】
以下、図面を用いて実施例の説明を行う。
【実施例１】
【００１６】
以下、本発明の実施例１について、図１から図４を用いて説明する。図１は、本実施例を実行する為の構成図である。例としてＤＶＤビデオカメラにＨＤＤを搭載したカメラの場合で説明する。ＨＤＤは、内蔵されていても着脱可能でもどちらでも構わない。また、ＨＤＤのかわりに半導体メモリでも同様の効果があげられる。ここでは、内蔵型のＨＤＤとする。ＤＶＤは、特に種類は限定する必要はない。ＲＡＭ、±ＲＷ、±Ｒ、もしくはＢＤ（ＢｌｕｅＬａｙＤｉｓｃ）でも構わない。実施例では、ＲＡＭを想定する。
【００１７】
図１(a)の１０１は、ＣＣＤやマイクなどの映像音声入力部である。１０２は、カメラ全体を制御するシステム制御部である。１０３は、入力部１０１から取り込まれた映像、音声の圧縮を行い、それぞれを多重化してプログラムストリームを生成するＡＶストリーム生成部である。１０４は、ＡＶストリーム生成部１０３で生成されたプログラムストリームを蓄積しておく為のバッファメモリである。１０６は、ＤＶＤであり、１０７は、ＨＤＤである。１０５は、ＤＶＤ１０６とＨＤＤ１０７へのアクセスを制御するコントロール部である。１０８は、映像を表示する為の表示部であり、１０９は、ユーザがビデオカメラに処理を促す為のボタンなどの操作部である。図示していないが、映像を再生する為の伸張ブロックや音声の出力を行なうスピーカやＤ／Ａコンバータなど一般的なビデオカメラの機能は搭載しているものとする。
【００１８】
図１(b)は、図(a)をさらに具体的にした実施例である。４００と４０１、および４０６は、上記１０１のＣＣＤやマイクなどの映像音声入力部である。４０５の制御部は上記１０２のカメラ全体を制御するシステム制御部である。４１０の多重/分離部は、上記１０３の映像、音声されたデータのそれぞれを多重化してプログラムストリームを生成するＡＶストリーム生成部である。４１１のドライバ部は、上記１０４のＡＶストリーム生成部１０３で生成されたプログラムストリームを蓄積しておく為のバッファメモリを備えた制御部である。４１３の入力制御部は、ユーザからの上記１０５のＤＶＤ１０６とＨＤＤ１０７へのアクセスを可能とする入力部である。
【００１９】
図２は、間欠駆動の処理におけるバッファ蓄積量と時間の関係を示した図である。図２(a)は、通常の記録を行なっている状態であり、図２(b)が本発明の動作を示した図である。縦軸は、緩衝バッファの蓄積量を表す。また、横軸は時間軸である。２０１から２０４は、緩衝用バッファにデータが溜まっていく期間を示す。２０５から２０８は、バッファに溜まったデータをディスクに書き込んでいる期間を示す。２０９から２１２、２３０，２４１，２４２は、アクセスの為に書き込んでいる媒体の種類を示す。ここでは、２０９から２１２がＤＶＤの表側（ｓｉｄｅ−Ａ）を表し、２３０がＨＤＤであり、２４１と２４２がＤＶＤの裏側（ｓｉｄｅ−Ｂ）を表している。
【００２０】
図３は、生成されたストリームのデータの流れを示した図である。図３(a)は、通常時の記録を行なっている状態であり、図３(b)は、ＤＶＤの交換を行なっている状態を表し、図３(c)は、ＤＶＤの交換した後の状態を示す。３０１は、図１のＡＶストリーム生成部１０３のことであり、プログラムストリームを生成する。３０２は、ＡＶストリーム生成部３０１で生成されたストリームを蓄える緩衝用バッファであり、図１のバッファ１０４のことである。３０３から３０５は、アクセス状態を表現しており、ＤＶＤかＨＤＤにどちらにアクセスしているかを表現している。３２０と３２１と３３０は記録媒体を示す。３２０は、ＤＶＤの表面、３２１は、ＤＶＤの裏面、３３０はＨＤＤを表す。この例では、３２１は、ＤＶＤの裏面としたが、３２０のＤＶＤとは別のＤＶＤであっても構わない。
【００２１】
図４は、ディスクの入れ替えが行なわれた時の処理の流れである。Ｓ４０１は、ディスクの取り出し要求処理である。Ｓ４０２は、ディスクに書き込んでいるかどうかの判定である。Ｓ４０３は、ＤＶＤドライブの終了処理であり、ここでは便宜上、ＤＶＤをＣドライブ、ＨＤＤをＤドライブとする。また、ここでいう終了処理とは、次回正常に記録ができるようにファイルの管理情報やストリームの管理情報などに所望の手続きを行なうことである。Ｓ４０４は、ＤドライブのＨＤＤの認識処理である。ここでいう認識処理とは、記録を開始するための必要な処理のことで、例えば、ディスクの状態をチェックすることなどである。Ｓ４０５は、Ｄドライブへの記録を開始する処理である。Ｓ４０６は、ディスクがセットされており、かつ書き込みがされていない状態であるかどうかを判定する処理である。Ｓ４０７は、Ｄドライブの終了処理である。また、ここでいう終了処理とは、次回正常に記録ができるようにファイルの管理情報やストリームの管理情報などに所望の手続きを行なうことである。Ｓ４０８は、ＣドライブのＤＶＤの認識処理である。ここでいう認識処理とは、記録を開始するための必要な処理のことで、例えば、ディスクの状態をチェックすることなどである。Ｓ４０９は、Ｃドライブへの記録を開始する処理である。
【００２２】
最初に、通常の記録の処理について説明する。
ユーザが、操作部１０９から記録の指示を行なうと、システム制御部１０２が入力部１０１から映像,音声の取り込みをはじめ、それら信号の記録を開始する。取り込まれた映像音声信号は、ＡＶストリーム生成部１０３で、圧縮が行なわれエレメンタリストリームに変換される。さらにオーディオとビデオのエレメンタリ-ストリームは多重化されプログラムストリームとなる。たとえば、記録媒体がＢＤならば、トランスポートストリームとなる。いずれにしても記録媒体の規格に準拠した構成のストリームが生成されるとする。ここで生成されたストリームは、バッファ１０４に蓄積されていく。通常バッファはリング状の管理がされている。ドライブ制御部１０５は、バッファ１０４の蓄積量を監視し、任意の閾値を超えたら、ＤＶＤ１０６にデータを書き込むよう制御する。ただし、記録開始前にディスクの認識を行なっておく必要がある。ここでは、電源起動時にすでに認識を済ませておいたとする。また、ユーザが操作部１０９により、記録停止を要求した場合には、システム制御部１０２が、ドライブ制御部１０５に記録停止を通知することで記録は停止される。その際には、ファイルの管理情報やＡＶストリームの管理情報などに不一致がないように体裁を整え、次回記録がスムーズに行なわれるような処理を行なう。
【００２３】
また、この時にバッファ１０４からＤＶＤ１０６にデータを書き込む場合、前記記載したように間欠駆動処理を行なう。図２(a)で示すように、２０１の期間は、バッファ１０４にデータを貯めておき、あるタイミングでＤＶＤへデータを記録する。この期間が２０５である。以降、２０２と２０６、２０３と２０７、２０４と２０８の組み合わせで処理が繰り返される。便宜上、２０９から２１２はＤＶＤの表面に記録していることを表すためにＤＶＤ_Ａと記載している。
【００２４】
次に本実施例について詳しく説明する。
上記説明したような方法で記録を行なっていたが、ＤＶＤの残量が少なくなった場合、当然ディスクを交換しないとそれ以降の記録ができなくなってしまう。そこで本装置では、残量がなくなってきたら、ＧＵＩを通してユーザにその旨通知する。ユーザは操作部１０９でディスク取り出しを要求する。これが図４のＳ４０１である。システム制御部１０２は、この要求を受けたら、現在が、非アクセス状態かどうか、ディスクに書き込みを行なっていないかをチェックする。これがＳ４０２である。もし要求を受けたのが、図２(b)の２０５の期間であれば、期間２２２の状態になるまで待つ。そして期間が２２２となった時点で、ＤＶＤを取り出せるように取り出し準備をはじめる。
【００２５】
まず、Ｓ４０３にあるように次の記録が正常におこなえるようにＣドライブの終了処理を行なう。ここではじめてユーザがＤＶＤを取り出すことができる。このＳ４０３までの処理は、図３(a)に相当する。ＡＶストリーム生成部３０１で生成されたＡＶデータは、一旦、緩衝用のバッファ３０２に蓄えられ、ある程度溜まった時点でディスク３２０に書き込まれる。この時３０３は、ＤＶＤへアクセスしていることを表す。この状態でＣドライブの終了処理を行なう。その後、ＤドライブのＨＤＤへの記録開始の準備を行なう。これが、Ｓ４０４である。
【００２６】
Ｓ４０４が正常に終了したら、Ｓ４０５でＤドライブに記録を開始し始める。この期間が図２の２０６の期間である。つまりこの期間からＤドライブに記録を変更されたことになる。この間にユーザはディスクを取り出し、裏面（ＤＶＤ_Ｂと表記する）に記録できるよう本装置にセットする。Ｓ４０６でディスクがセットされているかどうかをチェックしているので、ＤＶＤがセットされるとこの判定でセットされたことを判断できる。また、この判定が、図２の２０７の状態であれば、期間２２４になるまで待つこと必要がある。期間２２４になった時点で、Ｓ４０７で今まで記録していたＤドライブの終了処理を行なう。Ｓ４０４からＳ４０７までの処理は、図３(b)に相当する。３０４は、ＨＤＤの書き込み準備をする為にＨＤＤにアクセスしていることを表している。
【００２７】
ＨＤＤ３３０への記録を行なっている間に、３２０のＤＶＤを取り出し、３２１のように裏返してセットする。セットされたことが確認できるとＨＤＤの終了処理を行う。引き続き、Ｓ４０８でＤＶＤのＣドライブの認識（記録を開始するための準備）を行い、準備が整ったらＳ４０９でＣドライブへの記録を開始する。このＤＶＤの裏面に書き始める期間が２０８である。また、Ｓ４０８からＳ４０９は、図３(c)に相当する。３０５は、裏面のＤＶＤへ記録をする為、ＤＶＤ側へアクセスすることを表す。そして交換したＤＶＤ３２１の記録の準備をしてからＤＶＤへの再記録を開始する。以上、説明したＳ４０１からＳ４０９は、ユーザが行なっても良いし、本装置がＤＶＤの残量を監視して自動的に上記処理に移行してもよい。自動的に処理が行なわれていることをユーザに通知したい場合には、ＧＵＩにその旨表示させればよい。
【００２８】
上記説明したように、ディスクにアクセスしていない期間を利用することで映像を途切れさせること無く、記録を続けることが可能となる。
【実施例２】
【００２９】
次に、第２の実施例について説明する。
第２の実施例は、第１の実施例に追加となる形である。
【００３０】
以下、本発明の実施例２について、図５と図６を用いて説明する。
図５は、第２の実施例の処理フローである。Ｓ５０１は、記録停止処理である。実施例１の処理で再記録が行なわれた以降に、ユーザから記録停止が指示され、記録が停止している状態を表している。この停止した状態では、ＤＶＤを交換している期間の映像はＨＤＤ上にあるままである。そこでこの映像をＤＶＤにコピーしなければ完全なライブラリとはならない。そこでＨＤＤ上のデータをＤＶＤにコピーする準備を行なう。Ｓ５０２でＤＶＤの残量をチェックする。この時、ＨＤＤの記録した容量があるかどうかをチェックする必要がある。Ｓ５０３で容量がないと判定された場合には、Ｓ５０４のように処理を終了する。その場合には、容量のあるディスクと入れ替えを行い、Ｓ５０２から処理を繰り返せばよい。ユーザにはその旨ＧＵＩを通して知らせればよい。もしＳ５０３で容量があると判定された場合には、ＨＤＤ上の映像データをＤＶＤへコピーする。これがＳ５０５である。この状態でもＤＶＤ上には入れ替え中に欠けていたデータが存在することになるが、このままでは、順番が逆になったままである。
【００３１】
この状態を図６で説明する。図６(a)は、記録停止し、欠けた映像部分をコピーした状態のナビゲーション画面である。６０１は、タイトルバーである。６０２は、ＤＶＤからコピーした映像データのサムネール画面である。６０３は、ディスクを交換した直後のサムネール画面である。６１１は、タイトルバーでプレイリストと表示されている。
【００３２】
カメラで撮影した場合、一回の記録ごとに図示するようなサムネール画面が作成される。図６(a)の場合は、ディスク入れ替え後、８シーン（（２）から（９）まで）を撮影、ＨＤＤからのコピーデータが、６０２の（１）となる。つまり、コピー直後のデータは、時間的には最初なのに、ナビゲーション上では最後に存在してしまう。そこで記録されたオリジナルのデータはそのままで、時間的に正しい順番のプレイリストを作成する。プレイリストとは、オリジナルのデータを変更することなく、順番などを管理する情報のみを別ファイルとして管理できる機能である。図６(b)が順番を時間通りに並べ替えたプレイリストの例である。このようなプレイリストをＳ５０６で自動生成する。これはユーザにとっては便利な機能である。
【００３３】
この例では、実施例１にＳ５０１〜Ｓ５０６を追加した動作を自動的に行っているが、これに限らず、マニュアルで生成するしないを選択できるようなＧＵＩを追加しても良い。上記Ｓ５０１から５０６の処理自体も、マニュアルでするしないを選択できるようにしても良い。例えば、記録停止を行なったところでユーザにコピーを促す表示を行なう。このように選択肢を広げることで、コピーが必要ないユーザは、無駄な処理をする必要がなくなる。ただし、Ｓ５０１〜Ｓ５０６を追加した動作を自動的に行えば、ユーザがＨＤＤからＤＶＤへ映像データを移す作業を意識することなく行うことができるという効果を達成できる。一方、バッテリー残量が十分にない場合（所定値以下の場合）又はＡＣ電源が接続されていない場合には、Ｓ５０１〜Ｓ５０６の動作を行わないように制御するようにしても良い。この場合は、撮影のためにより多くのバッテリー容量を使用することができる。
【００３４】
また、ＨＤＤ上のデータ量が少なく、ＨＤＤからＤＶＤへのコピー時間が少ないと判断できれば、入れ替えた後の記録開始前に、ＨＤＤ上のデータをＤＶＤへコピーしておいても良い。そうすれば、プレイリストを作成することも無く、最初から図６(b）のような時間的に正しい順番で記録することができる。
【００３５】
上記説明したようにプレイリストを生成することで、ＨＤＤ上の映像データを時間的に正しい順番に表示することが可能となる。また、入れ替え後すぐにＨＤＤ上の映像データをコピーしておくことで、最初から時間的に正しい順番で記録することも可能である。
【００３６】
また、実施例２では、ＨＤＤからＤＶＤへデータを移すのは、ＤＶＤ_Ｂに撮影中の録画データを記録した後に纏めて行っている。しかしながら、図２に示すようにＤＶＤへのデータの記録は間欠的におこなっているため、ＤＶＤへ記録を行っている期間の間であるＤＶＤに記録を行っていない期間（図２(a)の202、203、204に相当、ただし、図２(a)はＤＶＤの表面への記録を図示しているが、ここではＤＶＤの裏面へ記録していることが相違する。この例において、以下、202、203、204に相当する期間をそれぞれ202´、203´、204´という）にＨＤＤからＤＶＤへデータを移すように制御しても良い。この際、撮影中の録画データのためのバッファとは別にＨＤＤからＤＶＤへ移すためのバッファを設けても良いし、１つのバッファの領域を２つに分けて、それぞれを撮影中の録画データのためのバッファ、ＨＤＤからＤＶＤへ移すためのバッファとしても良い。このように、202´などの期間にＨＤＤからＤＶＤへデータを移すようにすることで、撮影中の録画データをＤＶＤに記録し終えた時点で、ＨＤＤからＤＶＤへのデータを移すための期間を余分に取る必要がないという効果を達成できる。
【図面の簡単な説明】
【００３７】
【図１】本システムの構成図である。
【図２】間欠駆動の処理におけるバッファ蓄積量と時間の関係を示した図である。
【図３】生成されたストリームのデータの流れを示した図である。
【図４】ディスクの入れ替えが行なわれた時の処理フローある。
【図５】第２の実施例の処理フローである。
【図６】本システムのナビゲーション画面である。
【符号の説明】
【００３８】
１０１・・・入力部
１０２・・・システム制御部
１０３・・・ＡＶストリーム生成部
１０４・・・バッファ
１０５・・・ドライブ制御部
１０６・・・ＤＶＤ
１０７・・・ＨＤＤ
１０８・・・表示部
１０９・・・操作部
２０１〜２０４・・・記録媒体への非アクセス期間
２０５〜２０８・・・記録媒体へのアクセス期間
２０９〜２１２、２３０，２４１，２４３・・・アクセス先媒体
２２２・・・ＤＶＤ取り出し期間
２２４・・・ＤＶＤセット期間
３０１・・・ＡＶストリーム生成部
３０２・・・バッファ
３０３〜３０５・・・切り替え状態
３２０・・・ＤＶＤ表面
３２１・・・ＤＶＤ裏面
３３０・・・ＨＤＤ
４００・・・レンズ
４０１・・・ＣＣＤ
４０２・・・Ａ／Ｄコンバータ
４０３・・・信号処理部
４０４・・・映像圧縮伸張部
４０５・・・制御部
４０６・・・マイク
４０７・・・アンプ
４０８・・・Ａ／Ｄコンバータ、Ｄ／Ａコンバータ
４０９・・・音声圧縮伸張部
４１０・・・多重/分離部
４１１・・・ドライバ部
４１２・・・記録媒体
４１３・・・入力制御部
Ｓ４０１〜Ｓ４０９・・・本実施例１のフロー内容
Ｓ５０１〜Ｓ５０６・・・本実施例２のフロー内容
６０１・・・ナビゲーション画面のタイトル
６０２・・・ＨＤＤからＤＶＤへコピーされた映像音声のサムネール
６０３・・・ＤＶＤへの記録が再開された最初の映像音声のサムネール
【図１】
2006323953.tif 000003
【図２】
2006323953.tif 000004
【図３】
2006323953.tif 000005
【図４】
2006323953.tif 000006
【図５】
2006323953.tif 000007
【図６】
2006323953.tif 000008